(57)【要約】【課題】弾線を強固に結紮し固定することができ、取り扱いも容易である、矯正歯科治療用埋込具を提供する。【解決手段】矯正歯科治療用埋込具１０は、埋め込み用のねじ部１２と、ねじ部１２の基端に結合され、外周面に互いに平行な少なくとも一対の平面１４ａが形成されているヘッド部１４と、ヘッド部１４のねじ部１２とは反対側１４ｂに配置されたブラケット部１５とを備える。ブラケット部１５は、ねじ部１２の軸方向３０から見たときに、ヘッド部１４の外形よりも内側に配置されている。【選択図】図６
2007111317.tif 000002
【特許請求の範囲】
【請求項１】
埋め込み用のねじ部と、
前記ねじ部の基端に結合され、外周面に互いに平行な少なくとも一対の平面が形成されているヘッド部と、
前記ヘッド部の前記ねじ部とは反対側に配置されたブラケット部とを備え、
該ブラケット部は、前記ねじ部の軸方向から見たときに、前記ヘッド部の外形よりも内側に配置されていることを特徴とする、矯正歯科治療用埋込具。
【請求項２】
前記ブラケット部には、
前記ねじ部の軸方向に対して略垂直方向に延在し、該延在方向の両側と前記ヘッド部とは反対側とに開口部を有する、第１の中心溝と、
前記第１の中心溝を挟んで両側において、前記第１の中心溝の延在方向と略平行に延在し、該延在方向の両側と該延在方向及び前記ねじ部の軸方向に対して略垂直方向の両側とに開口部を有する、一対の第１の平行溝と、
が形成されていることを特徴とする、請求項１に記載の矯正歯科治療用埋込具。
【請求項３】
前記ブラケット部には、
前記第１の中心溝の延在方向及び前記ねじ部の軸方向に対して略垂直方向に延在し、該延在方向の両側と前記ヘッド部とは反対側とに開口部を有する、第２の中心溝と、
前記第２の中心溝を挟んで両側において、前記第２の中心溝の延在方向と略平行に延在し、該延在方向の両側と該延在方向及び前記ねじ部の軸方向に対して略垂直方向の両側とに開口部を有する、一対の第２の平行溝と、
が形成されていることを特徴とする、請求項２に記載の矯正歯科治療用埋込具。
【請求項４】
前記第１の中心溝は、断面が矩形であることを特徴とする、請求項１、２又は３に記載の矯正歯科治療用埋込具。
【発明の詳細な説明】
【技術分野】
【０００１】
本発明は、矯正歯科治療用埋込具に関する。
【背景技術】
【０００２】
現代矯正歯科治療の主流は、図１に示すようなマルチブラケット装置を用いた治療システムである。この装置は、前歯から臼歯までほとんどの歯に、図２に示すようなブラケットを取り付け、最後臼歯にはチューブが取り付けられている。これらブラケットの角溝（slot）には、歯科矯正用弾線すなわち種々の径の異なる丸いワイヤー（round  wire）や角のワイヤー(rectangular  wire)が挿入されるようになっており、図３に示すように、金属製の結紮線（ligature  wire）やリガチャー・モジュール等によって結紮・固定され、歯が３次元的に移動される仕組みとなっている（非特許文献１参照）。
【０００３】
近年、矯正歯科臨床では、図４及び図５に示すようなミニスクリュー（mini-screw）もしくはアンカースクリュー（anchor-screw）等と呼称されるチタン製のネジを、歯槽骨等の骨内に植立する治療法が開発された。このスクリューはほとんど不動であり、これを固定源とすることによって、歯はあらゆる方向に充分に移動されることが可能となり、マルチブラケットシステムの治療法を飛躍的に高める結果となった。
【０００４】
この種のスクリュー（矯正歯科治療用埋込具）については、例えば特許文献１、２に開示がある。
【特許文献１】特表平１０−５０７３８７号公報
【特許文献２】特開２００１−１８７０７１号公報
【非特許文献１】ウイズ矯正歯科のホームページ、“治療の方法と矯正装置について”、インターネット＜URL:http://www.withmac.net/appguid/mb/mb.html＞
【発明の開示】
【発明が解決しようとする課題】
【０００５】
図４のようなタイプのミニスクリューのデザインでは、単にスクリューヘッド部分もしくはホール部に金属製結紮線、エラスティックモジュール及びコイルスプリング（coil  spring）等を架ける機能しか果たせず、より正確な方向への歯の移動は困難である。
【０００６】
図５のようにスクリュー上部構造に角溝が形成され、矯正用弾線を挿入できるミニスクリューも開発されているが、歯に取り付けられるブラケットと同程度に、弾線を強固に結紮し固定するには不十分であり、満足できるものではなかった。
【０００７】
また、従来の矯正歯科治療用埋込具は、それぞれの形状ごとに固有の態様でワイヤーを結紮・固定する必要があり、矯正歯科治療用埋込具のタイプによってワイヤーを結紮・固定する態様が異なるため、取り扱いが煩雑である上、結紮・固定の作業自体も面倒である。
【０００８】
本発明は、かかる実情に鑑み、弾線を強固に結紮し固定することができ、取り扱いも容易である、矯正歯科治療用埋込具を提供しようとするものである。
【課題を解決するための手段】
【０００９】
本発明は、上記課題を解決するために、以下のように構成した矯正歯科治療用埋込具を提供する。
【００１０】
矯正歯科治療用埋込具は、埋め込み用のねじ部と、前記ねじ部の基端に結合され、外周面に互いに平行な少なくとも一対の平面が形成されているヘッド部と、前記ヘッド部の前記ねじ部とは反対側に配置されたブラケット部とを備える。該ブラケット部は、前記ねじ部の軸方向から見たときに、前記ヘッド部の外形よりも内側に配置されている。
【００１１】
上記構成において、矯正歯科治療用埋込具は、ツールを用いて回転することにより、ねじ部を埋め込む。このとき、ブラケット部は、矯正歯科治療用埋込具のねじ部の軸方向から見たときに、矯正歯科治療用埋込具のヘッド部の外形よりも内側に配置されているため、ツールのソケット等を、ブラケット部と干渉することなく、ヘッド部に嵌合することができる。また、ブラケット部の周囲には略半球状の十分な空間が確保され、結紮・固定の作業を容易に行うことができる。
【００１２】
上記構成によれば、矯正歯科治療用埋込具のブラケット部に、ワイヤーを強固に結紮・固定することができるので、より正確な方向への歯の移動が容易になる。
【００１３】
また、上記構成の矯正歯科治療用埋込具のブラケット部には、歯に取り付けるブラケットと同様にワイヤーを結紮・固定することができ、従来の矯正歯科治療用埋込具のように矯正歯科治療用埋込具のタイプごとにそれぞれ異なる特別な態様でワイヤーを結紮・固定する必要がない。上記構成の矯正歯科治療用埋込具にワイヤーを結紮・固定する操作は、歯に取り付けるブラケットにワイヤーを結紮・固定するという習熟した操作に統一されるため、取り扱いが容易である。
【００１４】
具体的な態様は、例えば、次のようになる。
【００１５】
前記ブラケット部には、第１の中心溝と一対の第１の平行溝とが形成されている。前記第１の中心溝は、前記ねじ部の軸方向に対して略垂直方向に延在し、該延在方向の両側と前記ヘッド部とは反対側とに開口部を有する。前記一対の平行溝は、前記第１の中心溝を挟んで両側において、前記第１の中心溝の延在方向と略平行に延在し、該延在方向の両側と該延在方向及び前記ねじ部の軸方向に対して略垂直方向の両側とに開口部を有する。
【００１６】
上記構成によれば、例えば、リガチャーは、一つの輪状にして一対の第１の平行溝に係止されるとともに、第１の中心溝に挿通されたワイヤーの上（矯正歯科治療用埋込具のヘッド部とは反対側）を横断し、この横断部分によって、ワイヤーを矯正歯科治療用埋込具のヘッド部に向けて押圧することによって、ワイヤーをブラケット部に強固に結紮・固定することができる。
【００１７】
好ましくは、前記ブラケット部には、第２の中心溝と一対の第２の平行溝とが形成されている。前記第２の中心溝は、前記第１の中心溝の延在方向及び前記ねじ部の軸方向に対して略垂直方向に延在し、該延在方向の両側と前記ヘッド部とは反対側とに開口部を有する。一対の前記第２の平行溝は、前記第２の中心溝を挟んで両側において、前記第２の中心溝の延在方向と略平行に延在し、該延在方向の両側と該延在方向及び前記ねじ部の軸方向に対して略垂直方向の両側とに開口部を有する。
【００１８】
上記構成において、第２の中心溝は、第１の中心溝と交差し、好ましくは略直角に交差する。
【００１９】
上記構成によれば、第１の中心溝及び第１の平行溝と同様に、第２の中心溝及び第２の平行溝を用いて、ワイヤーをブラケット部に強固に結紮・固定することができる。したがって、矯正歯科治療用埋込具を植立した状態で、複数方向にワイヤーを配置することが可能であるので、
【００２０】
好ましくは、前記第１の中心溝は、断面が矩形である。
【００２１】
この場合、中心溝に断面矩形の角ワイヤーを挿通し、結紮・固定することができるので、角ワイヤーを組み込むことによって３次元的な歯牙移動を精密に行うことができる。
【００２２】
なお、前記第１の中心溝のみならず、前記第２の中心溝も、断面が矩形であってもよい。
【発明の効果】
【００２３】
本発明の矯正歯科治療用埋込具は、弾線を強固に結紮し固定することができ、取り扱いも容易である。
【発明を実施するための最良の形態】
【００２４】
以下、本発明の実施の形態について、図６〜図９を参照しながら説明する。
【００２５】
（実施例１）  実施例１の矯正歯科治療用埋込具であるブラケットスクリュー（bracket-screw）１７について、図６〜図８を参照しながら説明する。図６は斜視図、図７は軸方向から見た平面図、図８はツールの説明図である。
【００２６】
図６に示すように、ブラケットスクリュー１０は、ねじ部１２とヘッド部１４とブラケット部１５とを備える。
【００２７】
ねじ部１２は、外周面に外ねじが形成され、先端１１側には凹部１３が形成されている。ねじ部１２は、凹部１３でねじ山が除去された部分のエッジによってねじを切りながら、ねじ込むことができる、いわゆるセルフタッピング構造である。
【００２８】
ヘッド部１４は、略六角柱形状であり、ヘッド部１４の外周面には、互いに平行な３対の平面部１４ａが形成さている。ヘッド部１４は、ねじ部１２の基端にねじ部１２の中心軸と同軸に形成されている。
【００２９】
ブラケット部１５は、ヘッド部１４の上面１４ｂ（ねじ部１２とは反対側の面）に設けられている。ブラケット部１５は、図２の歯に接着するブラケットと略同様の形状である。
【００３０】
すなわち、ブラケット部１５には、略十字状に中心溝１８ａ，１８ｂが形成されている。縦・横のそれぞれの中心溝１８ａ，１８ｂには、図３の場合と同様に、ワイヤーが挿通される。中心溝１８ａ，１８ｂの断面の寸法・形状は、使用するワイヤーの断面の寸法・形状に応じて適宜に選択すればよい。例えば、中心溝１８ａ，１８ｂの断面を略矩形とし、現在矯正臨床で汎用される矩形断面の角ワイヤーの縦幅と横幅がフィットする形態とする。中心溝１８ａ，１８ｂは、それぞれ、延在方向の両側とヘッド部１４とは反対側とに開口部を有する。
【００３１】
また、中心溝１８ａ，１８ｂで分割された４つのブラケット要素１６には、それぞれ、一方の中心溝１８ａとは反対側の上面が突出し、ブラケットウィング１７が形成されている。ブラケットウィング１７の下には、平行溝１７ａが形成されている。平行溝１７ａは、一方の中心溝１８ａと略平行に、一方の中心溝１８ａの両側に延在する。平行溝１７ａは、延在方向の両側と延在方向及びねじ部１４の軸方向に対して略垂直方向の両側とに開口部を有する。図３と同様に、ブラケットウィング１７にリガチャーを係止することにより、矯正用弾線（ワイヤー）を容易に、かつ強固に固定することが可能となっている。
【００３２】
矢印３０で示す軸方向にブラケット部１５を見ると、図７に示したように、ブラケット部１５は、ヘッド部１４の外形よりも内側に配置されている。
【００３３】
次に、ブラケットスクリュー１０の使用方法について説明する。
【００３４】
ブラケットスクリュー１０は、図８に要部を示したツール２０を用い、ツール２０の先端に設けたソケット２２の内穴２４に、ブラケットスクリュー１０のヘッド部１４を嵌め込み、ツール２０を回転することによってブラケットスクリュー１０を回転し、ねじ部１２を骨内にねじ込む。このとき、図７に示したようにブラケット部１５はヘッド部１４の外形よりも内側に配置されているので、ツール２０のソケット２２を、矢印３０で示す軸方向からブラケットスクリュー１０のヘッド部１４に嵌め込み、ブラケット部１５がソケット２２の内穴２４内に収納され、ソケット２２がヘッド部１４に嵌め込まれたまま、ブラケットスクリュー１０と中心軸が一致した状態でツール２０を回転することによって、一気にブラケットスクリュー１０をねじ込むことができる。ねじ込む際に、スパナのようにツール２０の係脱を繰り返す必要がないので、植立作業が容易である。
【００３５】
ねじ部１２を骨内に植立した後、図３の歯に接着するブラケットと同様に、ブラケット部１５にワイヤーを結紮・固定する。
【００３６】
例えば、中心溝１８ａにワイヤーを挿通した後、ブラケット部１５の周囲にリガチャーをリング状に配置して、リガチャーを、一対の平行溝１７ａにそれぞれ挿通してブラケットウィング１７に係止するととも、リガチャーが中心溝１８ａに挿通されたワイヤーの上を横断するようにし、リガチャーをねじってリガチャーのリングを小さくしていき、ワイヤー上のリガチャーがワイヤーをヘッド部及びねじ部に向けて押さえ付けるようにする。
【００３７】
（実施例２）  実施例２の矯正歯科治療用埋込具であるブラケットスクリュー１０ｘについて、図９を参照しながら説明する。
【００３８】
実施例２のブラケットスクリュー１０ｘは、実施例１のブラケットスクリュー１０と略同様に構成されている。実施例１と同様の構成部分には同じ符号を用い、以下では相違点を中心に説明する。
【００３９】
実施例２のブラケットスクリュー１０ｘは、実施例１のブラケットスクリュー１０と同様に、ねじ部１２と、ヘッド部１４ｘと、ブラケット部１５ｘとを備える。
【００４０】
ヘッド部１４ｘは、実施例１と異なり、略四角柱形状であり、ヘッド部１４ｘの外周面には、互いに平行な２対の平面部１４ｓが形成さている。
【００４１】
ブラケット部１５ｘは、ヘッド部１４ｘの上面１４ｔに設けれら、実施例１と略同様に、略十字状に中心溝１８ａ，１８ｂが形成され、４つに分割されたブラケット要素１６には、それぞれブラケットウィング１７が形成され、ブラケットウィング１７の下に一対の平行溝１７ａが形成されている。実施例１と異なり、ブラケット部１５ｘには、他方の中心溝１８ｂを挟んで両側の側面に、他方の中心溝１８ｂと平行に、一対の第２の平行溝１７ｂが形成されている。
【００４２】
ブラケットスクリュー１０ｘは、実施例１と同様に、中心溝１８ａ，１８ｂにワイヤーを結紮・固定することができる。このとき、第２の平行溝１７ｂが形成されているので、他方の中心溝１８ｂにワイヤーを挿通したときも、一方の中心溝１８ａにワイヤーを挿通したときと同様に、強固に結紮・固定することができる。
【００４３】
（まとめ）  以上に説明したように、実施例１，２のブラケットスクリュー１０，１０ｘは、歯に取り付けられるブラケットをミニスクリューの上部構造として採用しているので、一連のマルチブラケットシステム治療に溶け込みやすい。
【００４４】
このブラケットスクリューの使用によって、従来通りのスクリュー同様、結紮線、モジュール及びコイルスプリング等を架けることはもとより、角ワイヤーを組み込むことによって、３次元的な歯牙移動を精密に行うことのできる画期的でオールマイティーな機能を発揮することができる。
【００４５】
なお、本発明の埋め込み具は、上記した実施の形態に限定されるものではなく、種々変更を加えて実施可能である。
【００４６】
例えば、ブラケット部の中心溝は、１つでも、３つ以上でもよい。ヘッド部は、ツールを用いて回転できるように、ねじ部の中心軸と平行に延在する少なくとも２つの平面部を形成すればよい。ねじ部は、セルフタッピング構造でなくてもよい。
【図面の簡単な説明】
【００４７】
【図１】マルチブラケット装置の説明図である。（従来例）
【図２】歯に接着するブラケットの説明図である。（従来例）
【図３】ブラケットと弾線の結紮の説明図である。（従来例）
【図４】矯正歯科治療に使用するミニスクリューの説明図である。（従来例）
【図５】ヘッドに角溝が入ったミニスクリューの説明図である。（従来例）
【図６】ブラケットスクリューの斜視図である。（実施例１）
【図７】図６のブラケットスクリューの平面図である。（実施例１）
【図８】ツールの説明図である。
【図９】ブラケットスクリューの斜視図である。（実施例２）
【符号の説明】
【００４８】
１０，１０ｘ  ブラケットスクリュー（矯正歯科治療用埋込具）
１２  ねじ部
１４，１４ｘ  ヘッド部
１５，１５ｘ  ブラケット部
１６  ブラケット要素
１７  ブラケットウィング
１７ａ，１７ｂ  平行溝
１８ａ，１８ｂ  中心溝
【図１】
2007111317.tif 000003
【図２】
2007111317.tif 000004
【図３】
2007111317.tif 000005
【図４】
2007111317.tif 000006
【図５】
2007111317.tif 000007
【図６】
2007111317.tif 000008
【図７】
2007111317.tif 000009
【図８】
2007111317.tif 000010
【図９】
2007111317.tif 000011